(57)【要約】本発明は、セカンダリチャネルのセカンダリ情報をプライマリチャネルのプライマリチャネルデータストリームに符号化する装置及び対応する方法であって、前記プライマリチャネルデータストリームは、第１方向に沿って１次元的に展開し、第２方向に沿って互いに整列されるチャネルシンボルの少なくとも２つのシンボル行を有し、前記２つの方向は、２次元のシンボル位置の格子を構成する装置及び方法に関する。２次元ストレージシステムにおいて利用可能な符号化装置及び方法を提供するため、当該装置は、プライマリ情報を前記プライマリチャネルのプライマリチャネルデータストリームに符号化するプライマリエンコーダと、前記プライマリチャネルデータストリームの記録された信号に埋め込むため、前記セカンダリ情報をセカンダリチャネルデータストリームに符号化するセカンダリエンコーダと、変動パラメータを利用して平均値の周辺で前記セカンダリ情報に基づき１以上のシンボル行のため記録パラメータを変動させるパラメータ変調手段とを有し、前記記録パラメータは、前記プライマリチャネルデータストリームを記録キャリア上に記録するのに使用され、前記変動は、前記平均値が実質的に一定を維持し、前記変調が復号化装置により検出可能となるように行われ、前記セカンダリ情報は、前記変動に符号化される。
2007534103.tif 000002
【特許請求の範囲】
【請求項１】
セカンダリチャネルのセカンダリ情報をプライマリチャネルのプライマリチャネルデータストリームに符号化する装置であって、前記プライマリチャネルデータストリームは、第１方向に沿って１次元的に展開し、第２方向に沿って互いに整列されるチャネルシンボルの少なくとも２つのシンボル行を有し、前記２つの方向は、２次元のシンボル位置の格子を構成し、
当該装置は、
プライマリ情報を前記プライマリチャネルのプライマリチャネルデータストリームに符号化するプライマリエンコーダと、
前記プライマリチャネルデータストリームの記録された信号に埋め込むため、前記セカンダリ情報をセカンダリチャネルデータストリームに符号化するセカンダリエンコーダと、
変動パラメータを利用して平均値の周辺で前記セカンダリ情報に基づき１以上のシンボル行のため記録パラメータを変動させるパラメータ変調手段と、
を有し、
前記記録パラメータは、前記プライマリチャネルデータストリームを記録キャリア上に記録するのに使用され、
前記変動は、前記平均値が実質的に一定を維持し、前記変調が復号化装置により検出可能となるように行われ、
前記セカンダリ情報は、前記変動に符号化される、
ことを特徴とする装置。
【請求項２】
請求項１記載の装置であって、
前記セカンダリエンコーダは、２つのシンボル行のペアについて前記記録パラメータの補完的変動を行うことによって、前記セカンダリ情報を前記プライマリチャネルデータストリームに符号化するため動作することを特徴とする装置。
【請求項３】
請求項１記載の装置であって、
前記セカンダリエンコーダは、１以上のシンボル行についてローカルな半径方向のトラックシフトを導入するため動作することを特徴とする装置。
【請求項４】
請求項１記載の装置であって、
前記セカンダリエンコーダは、１以上のシンボル行についてピットホールサイズを変化させるため動作することを特徴とする装置。
【請求項５】
請求項１記載の装置であって、
前記セカンダリエンコーダは、すべてのシンボル行に対する位相の平均値に関する１以上のシンボル行の位相にローカルオフセットを導入するため動作することを特徴とする装置。
【請求項６】
請求項１記載の装置であって、
前記チャネルシンボルは、擬似６角形、擬似矩形又は擬似正方形格子の格子点上に配置され、それぞれ６角形、矩形又は正方形の形状を有するシンボルエリア内に配置されることを特徴とする装置。
【請求項７】
セカンダリチャネルのセカンダリ情報をプライマリチャネルのプライマリチャネルデータストリームに符号化する方法であって、前記プライマリチャネルデータストリームは、第１方向に沿って１次元的に展開し、第２方向に沿って互いに整列されるチャネルシンボルの少なくとも２つのシンボル行を有し、前記２つの方向は、２次元のシンボル位置の格子を構成し、
当該方法は、
プライマリ情報を前記プライマリチャネルのプライマリチャネルデータストリームに符号化するステップと、
前記プライマリチャネルデータストリームの記録された信号に埋め込むため、前記セカンダリ情報をセカンダリチャネルデータストリームに符号化するステップと、
変動パラメータを利用して平均値の周辺で前記セカンダリ情報に基づき１以上のシンボル行のため記録パラメータを変動させるステップと、
を有し、
前記記録パラメータは、前記プライマリチャネルデータストリームを記録キャリア上に記録するのに使用され、
前記変動は、前記平均値が実質的に一定を維持し、前記変動が復号化装置により検出可能となるように行われ、
前記セカンダリ情報は、前記変動に符号化される、
ことを特徴とする方法。
【請求項８】
プライマリチャネルのプライマリチャネルデータストリームの受信した再生信号から、セカンダリチャネルのセカンダリ情報を復号化する装置であって、
前記プライマリチャネルデータストリームは、第１方向に沿って１次元的に展開し、第２方向に沿って互いに整列されるチャネルシンボルの少なくとも２つのシンボル行を有し、前記２つの方向は、２次元のシンボル位置の格子を構成し、
当該装置は、
前記受信した再生信号から、前記セカンダリ情報を前記プライマリチャネルデータストリームに符号化するため変更された記録パラメータに関するパラメータ情報を抽出するパラメータ抽出手段と、
前記パラメータ情報により特定される前記再生信号の一部のグローバルな記録パラメータの平均値を決定する平均化手段と、
１以上のシンボル行について前記平均値と比較した前記抽出された記録パラメータの変動から前記セカンダリチャネル情報を検出する検出手段と、
前記記録パラメータの検出された変動から前記セカンダリ情報を復号化するセカンダリデコーダと、
を有することを特徴とする装置。
【請求項９】
プライマリチャネルのプライマリチャネルデータストリームの再生信号から、セカンダリチャネルのセカンダリ情報を復号化する方法であって、
前記プライマリチャネルデータストリームは、第１方向に沿って１次元的に展開し、第２方向に沿って互いに整列されるチャネルシンボルの少なくとも２つのシンボル行を有し、前記２つの方向は、２次元のシンボル位置の格子を構成し、
当該方法は、
前記受信した再生信号から、前記セカンダリ情報を前記プライマリチャネルデータストリームに符号化するため変更された記録パラメータに関するパラメータ情報を抽出するステップと、
前記パラメータ情報により特定される前記再生信号の一部のグローバルな記録パラメータの平均値を決定するステップと、
１以上のシンボル行について前記平均値と比較した前記抽出された記録パラメータの変動から前記セカンダリチャネル情報を検出するステップと、
前記記録パラメータの検出された変動から前記セカンダリ情報を復号化するステップと、
を有することを特徴とする方法。
【請求項１０】
セカンダリチャネルのセカンダリ情報が符号化されるプライマリチャネルのプライマリ情報を搬送するプライマリチャネルデータストリームを記録した記録キャリアであって、
前記プライマリチャネルデータストリームは、第１方向に沿って１次元的に展開し、第２方向に沿って互いに整列されるチャネルシンボルの少なくとも２つのシンボル行を有し、
前記２つの方向は、２次元のシンボル位置の格子を構成し、
１以上のシンボル行が、、前記平均値が前記プライマリチャネルデータストリームの一部において一定に維持されるように、変動パラメータを利用して平均値の周辺で前記セカンダリ情報に基づき変動された記録パラメータを利用して記録されており、
前記変動は、復号化装置によって検出可能である、
ことを特徴とする記録キャリア。
【請求項１１】
当該コンピュータプログラムがコンピュータ上で実行されると、請求項７及び９記載の方法をコンピュータに実行させるプログラムコード手段を有するコンピュータプログラム。
【発明の詳細な説明】
【技術分野】
【０００１】
本発明は、セカンダリチャネルのセカンダリ情報をプライマリチャネルのプライマリチャネルデータストリームに符号化する装置及び対応する方法に関し、当該プライマリチャネルデータストリームは、第１方向に沿って１次元的に展開し、第２方向に沿って互いに整列されたチャネルシンボルの少なくとも２つのシンボル行を有し、これら２つの方向は、２次元格子状のシンボルポジションを構成する。
【０００２】
本発明はさらに、プライマリチャネルのプライマリチャネルデータストリームからセカンダリチャネルのセカンダリ情報を復号化する装置及び対応する方法に関する。さらに、本発明は、チャネルデータストリームを有する信号及び記録キャリアに関する。最後に、本発明は、当該方法を実現するコンピュータプログラムに関する。
【背景技術】
【０００３】
ＵＳ２００２／０１１４４６０Ａ１は、セカンダリチャネルのセカンダリ信号をプライマリチャネルのプライマリ信号の１次元ビットストリームに埋め込む方法を開示している。記録可能又は書き換え可能データキャリアのコピープロテクション及びデジタル著作権管理のため、キーが隠されたサイドチャネル、すなわち、セカンダリチャネルに書き込み及び書き換え可能であることが要求される。従って、本文献では、プライマリ信号のビットストリームがプライマリ信号のビットストリームの出力前に、セカンダリ信号が所定の歪みによって表されるように歪められることが提案されている。本文献はさらに、プライマリ信号の１次元ビットストリームに埋め込まれたセカンダリ信号を検出する方法を開示し、対応する装置及びデータキャリアに関する。
【０００４】
現在、マルチトラックリードアウトを使用するデータストレージのための光及び時期システムが開発されている。例えば、光ディスクなどの記録キャリア上の情報が基本的に２次元のキャラクタを有する２次元光ストレージの新たなコンセプトが、未公開の欧州特許出願０２２９２９３７．６（ＰＨＮＬ０２１２３７）に記載されている。その目的は、第３世代光ストレージ（光リードアウトシステムの同一の物理的パラメータに対して、２のファクタのデータ密度と１０のファクタのデータレートを有する波長λ＝４０５ｎｍ及び開口数ＮＡ＝０．８５のブルーレイディスク（ＢＤ））に対する向上を実現することである。このコンセプトでは、シンボル（又はビット）はブロードスパイラルにより構成されている。このようなスパイラルは、シンボルが２次元格子状に構成されるように、半径方向に一定のフェーズ関係により互いにスタックされたいくつかのシンボル行から構成される。シンボルの２次元クローズドパックドヘキサゴナルオーダリング（ｃｌｏｓｅｄ−ｐａｃｋｅｄ  ｈｅｘａｇｏｎａｌ  ｏｒｄｅｒｉｎｇ）は、正方形の格子より１５％高いパッキングフラクションを有するため好ましい。ブロードスパイラルの連続する回転は、１つのエンプティシンボル行から構成されるガードバンドにより分離されている。パラレルなリードアウトのため、各スポットがＢＤ特性を有するマルチスポット光路が利用可能である。等化、タイミング復元及びシンボル検出による信号処理は、２次元により、すなわち、ブロードスパイラル内のすべてのシンボル行上でジョイントして実行される。
【発明の開示】
【発明が解決しようとする課題】
【０００５】
本発明の課題は、セカンダリチャネルのセカンダリ情報を２次元ストレージシステムにおいて利用可能なプライマリチャネルのチャネルデータストリームに符号化する装置及び対応する方法を提供することである。さらに、対応する装置、復号化方法、記録キャリア、信号及び当該方法を実現するためのコンピュータプログラムが提供される。
【課題を解決するための手段】
【０００６】
上記課題は、本発明によると、請求項１記載の符号化装置によって実現される。
【０００７】
対応する復号化装置が請求項８に規定される。
【０００８】
対応する方法は、請求項７及び９に規定される。さらに、本発明はまた、請求項１０記載の記録キャリアに関する。最後に、本発明は、請求項１１記載の方法を実現するコンピュータプログラムに関する。
【０００９】
ブロードスパイラルは、Ｎ個のシンボル行から構成されると仮定する。さらに、ｐｍ，ｎを各行（インデックスｎを有する）の信号波形の各サンプル（インデックスｍを有する）について指定可能なパラメータ（又は性質）を示すとする。このパラメータｐについて、それのグローバルな平均値があるウィンドウ内で、すなわち、例えば、Ｍ個のサンプルの長さを有するブロードスパイラルのセグメント
【００１０】
【数１】
2007534103.tif 000003
の内部で考えることができる。
【００１１】
Ｃが非ゼロであるとき、パラメータｐは、パラメータｑのグローバルな平均値が実際にゼロとなるように、
【００１２】
【数２】
2007534103.tif 000004
として規定されるパラメータｑに変換することが可能である。グローバルな平均値は、ブロードスパイラルのすべての行に基づくものである。パラメータｑの行ベースの平均値がまた、
【００１３】
【数３】
2007534103.tif 000005
によって与えられる第ｎシンボル行に対するパラメータδｎにより規定することが可能である。
【００１４】
当然の選択は、すべての行のδｎについて同じ値を有することである。すなわち、この結果すべての行ベースの平均値がゼロとなるため、
【００１５】
【数４】
2007534103.tif 000006
グローバルな平均値もまたゼロとなる。
【００１６】
本発明は、グローバルな平均値（データストリームの所定部分内のスパイラルの行に対して平均化された）がゼロに等しく維持されるように、
【００１７】
【数５】
2007534103.tif 000007
いくつかの、しかしながら少なくとも２つの行についてデータストリームの所定部分上の行ベースの平均値（δｎ≠０）の一時的な非ゼロの値を考えるためのアイデアに基づく。
【００１８】
本発明の範囲を限定するものではないが、実際的な理由のため説明される自明な具体例は、以下の通りである。０〜２Ｌと番号付けされたスパイラルのＮ＝２Ｌ＋１個の行を考える。その後、シンボル行のＬ個のペアを考えることができ、例えば、各第ｉペアは、
【００１９】
【数６】
2007534103.tif 000008
が課された場合（δＬ＝０を除く）、２つのシンボル行Ｌ−ｉとＬ＋ｉから構成される。この結果、＜δｎ＞に対する上記式が満足される。偶数個のシンボル行について、すべてのシンボル行が非ゼロの行平均値を有することが可能となるように、同様の推論が設定可能である。Ｍ個のサンプルのセグメント（シンボルクロックと同期した）が行ベースの平均値の計算に使用されると仮定する。その後、Ｍ個のサンプルのセグメント毎に、行平均値のゼロからのローカルな乖離を導入することが可能である。行ペア及びＭ個のサンプルのセグメント毎に、簡単化のため、３組のシグナリングによる３つの可能な結果が想定される。このようなサイドチャネル（セカンダリチャネル）のトータルの容量は、
【００２０】
【数７】
2007534103.tif 000009
となるであろう。
【００２１】
ＵＳ２００２／０１１４４６０Ａ１に開示されている方法によると、ＣＤ、ＤＶＤ及びＢＤに使用されるような従来のシングルトラックスパイラルフォーマットの場合と同様のシングルシンボル行の場合には、もちろん、（１つの行のみが存在する）行ベースの平均値に等しいグローバルな平均値からのオフセットしか存在しえない。制御ループとサーボとの可能性のある干渉を制限するため、セグメントの長さはごく小さなものとならなければならない。すなわち、位相同期ループなどの制御ループは、それらが平均値パラメータｐ（この場合、フェーズエラー、又は決定指向的な最大尤度タイミング復元スキームにおけるそれの等価なパラメータ）をゼロに導くという事実により動作する。本発明により提案されるようなマルチトラックシステムについて、制御ループ及びサーボに対する実質的な効果が存在しないように、グローバルな平均値はゼロに維持される。
【００２２】
変調深さとも呼ばれる変動パラメータは、記録パラメータがどのくらい変動したかに関する情報を表す。例えば、トラックピッチは、＋／−１０％だけ変動可能である。この場合、変動パラメータは０．１となる。この変動パラメータは、プライマリチャネルの通常のリードアウトが妨害されないように、予め決定される。平均値はまた、好ましくは、予め決定されるか、あるいは、プライマリチャネルデータストリームの一部などにおける符号化中に決定される。
【００２３】
本発明の好適な実施例は、従属クレームに規定される。効果的な実施例では、セカンダリエンコーダは、２つのシンボル行のペアに対する記録パラメータの補完的変動を行うことによって、セカンダリ情報をチャネルデータストリームに符号化するよう動作する。このように、所定のグローバルな記録パラメータの平均値が実質的に一定に維持されることが、容易に取得可能である。このように、好ましくは、２つのシンボル行の各ペア、あるいはより正確には、このような２つのシンボル行のペアに対する記録パラメータの補完的変動が、セカンダリ情報の１つのビットを符号化するのに使用される。
【００２４】
請求項３〜５は、異なる記録パラメータ及びその変動が、セカンダリ情報をチャネルデータストリームに符号化するのに使用される好適な実施例を規定する。このような変動は、ローカルな半径トラックシフトを導入することによって、ピットホールサイズを変化させることによって（例えば、情報書き込み中に現在のものを変化させることによってなど）、及び／又は１以上のシンボル行のフェーズにおいてローカルなオフセットを導入することによって利用可能であり、フェーズにおける上記ローカルオフセットは、すべてのシンボル行に対する当該フェーズの平均値に関してなされる。すべての実施例において、パラメータ変動が相対的なスケールについてトラック可能である。すなわち、１以上のシンボル行からのパラメータが、すべてのシンボル行に対する平均値によって構成される基準又は他の（基準）行からのパラメータと比較可能である。
【００２５】
例えば、タイミング復元では、小さなフェーズ変動によって生成されるセカンダリチャネルが、ディスクスピードの変動又は書き込みチャネル周波数変動によっては妨害されない。なぜなら、基準自体がチャネルデータストリームにおいて利用可能であり、記録キャリアに記録され、又は信号全体において送信され、さらに同時に読み出されるためである。さらに、システム又は特定のパラメータを追跡する他のループのタイミング復元は、チャネルデータストリームにおいて慎重に備えられた変動によって妨害される必要はない。なぜなら、それらはすべてのシンボル行に対する平均パラメータ変動のみを追跡することしかできないためである。
【００２６】
一般に、本発明は、任意のタイプの２次元ストレージシステムにおいて利用可能である。好ましくは、チャネルシンボルは、擬似的な６角形、擬似的な矩形又は擬似的な正方形の格子の格子点上に配置され、それぞれ６角形、矩形又は正方形の形状を有するシンボルエリア内に構成される。好ましくは、シンボルの２次元クローズドパックドヘクサゴナルオーダリング（ｃｌｏｓｅｄ−ｐａｃｋｅｄ  ｈｅｘａｇｏｎａｌ  ｏｒｄｅｒｉｎｇ）が、最も高いパッキングフラクションを有するため使用される。
【発明を実施するための最良の形態】
【００２７】
以下において、コヒーレントに１つずつスタックされたいくつかのシンボル行から構成されるブロードスパイラルの特殊ケース、すなわち、各シンボル行が一般にスパイラルの１つおきのシンボル行と固定的な位相関係を有する（本発明の対象となる小さな変動を除いて）特殊ケースが考えられる。図１において、このような２次元光ストレージのための概略的なフォーマットが示される（簡単化のため、７行ブロードスパイラルが示される）。各６角形は、本例では、２つの異なるビット値を有することが可能なシンボルセルと対応する。ブロードスパイラルの連続する回転は、ガードバンドによって分離されている。チャネルシンボルは、タンジェント方向ｔに沿って展開し、シンボル行は半径方向ｒに互いにスタックされている。
【００２８】
このようなシステムについて、グローバルなタイミング復元は、（スパイラルの方向に沿った）シンボル間のタンジェント、すなわち、横方向の距離を特徴付ける１つのタイミングパラメータにより実現される。この１つのパラメータは、デジタルＰＬＬのデジタルタイミングオシレータ（ＤＴＯ）の周波数である。このケースで特定されるべきパラメータｐは、１つのＤＴＯのゼロクロッシングに対して各行ｎについてＰＬＬによって検出される位相エラーφｍ，ｎである。サイド情報として、スパイラルのグローバルシンボルクロックと比較して、各行（又は、より詳細には、上述された実際的な具体例について適用されるようなシンボル行の各ペアについて）の位相エラーにおけるローカルオフセットに情報が符号化可能である。実際、書き込みチャネルでは、これは、グローバルシンボルクロックと比較して、１つの行のビットをやや遅延させることにより実現される。これは、タンジェント方向の２次元シンボル格子の歪みの一種である。それの原理が、９行ブロードスパイラルの場合について図２において概略的に示される。この例では、行ペアＬ＋ｉとＬ−ｉは、１つの３つの組のシンボルを規定する反対の位相シフトを有する（位相シフトが０であるときには０、先頭の行の位相シフトが負であるときには−１、又は先頭の行の位相シフトが正であるときには＋１）。各行の位相シフトは、ブロードスパイラル全体について取得されるデジタルタイミングオシレータに関して測定される。符号化されたシンボルは、［−１  ０＋１＋１］に等しい。
【００２９】
図３は、ブロードスパイラルにおける行シフトの図示を示す。図３ａは歪みのない格子を示し、図３ｂは歪みのある格子を示す。図３ｂに示される実施例は、シンボル行Ｌ＋ｉ及びＬ−ｉについて等しいが、反対の位相シフトを有し、これは、先頭の行Ｌ＋ｉなどの位相シフトの符号に応じて、シンボル＋１又は−１を示す。位相シフトがゼロである場合（図３に図示せず）、対応するシンボルは０に等しい。各行の位相シフトは、ブロードスパイラル全体について取得されたデジタルタイミングオシレータに関して測定される。行「０」がスパイラルの最後尾のシンボル行である場合、符号化されたシンボルは、［＋１＋１−１］に等しくなる。
【００３０】
ＰＬＬのいくつかの実現形態について（ゼロクロッシングに基づく）、複雑な点は、位相エラーが所与のシンボル行に沿ったシンボルストリームにおける遷移においてのみ決定され、遷移数は行毎に変動するかもしれないということであるかもしれない。従って、格子の歪みの微調整がグローバルな位相エラーがゼロに到達するために要求される一方、与えられた行に誘発されるパラメータ変動のロウバストな検出を有することが求められるかもしれない。
【００３１】
決定指向的な最大尤度タイミング復元スキームについて、位相エラーの等価なパラメータが各シンボルサンプルにおいて取得される。行ベースの適応的なイコライザに対するものなど他の制御ループは、誘発された行ベースの格子歪みと干渉すべきではない。これは、適応的イコライザが例えば、（記録キャリアに関するレーザビームの）ティルトによる物理的な読み出しにおける非対称性を補償するため、それのタップ計数におけるある非対称性を導入することが依然として必要であるため、実際的には実現困難であるかもしれない。この問題を回避する１つの方法は、すべてのシンボル行に対して動作するよう構成される（そして、行に独立した特性を有する）１つのグローバルな適応的イコライザを考えることである。さらに、スプレッドスペクトル技術が、物理的サイドチャネルにおけるごくわずかな信号の場合でさえ、信頼できる検出を実現するのに利用されるかもしれない。
【００３２】
本発明のさらなる実施例では、ラジアルサーボ又はフォーカスサーボに影響を与えないことが提案される。小さなオフセットによるローカルな半径方向のトラックシフトは、影響を受けない。これは、半径方向におけるこのようなローカルな格子歪みの一種として考えることができる。それは、ブロードスパイラルのパラレルなリードアウトのために使用されるスポットのアレイを生成する回折格子の方向付けのため、サーボと共に利用される必要がある。このような格子サーボは、外側のシンボル行の半径方向の位置に基づくものとすることが可能である（半径方向のトラッキングが、２次元光ストレージシステムにおいて採用されたような外側の行の中心開口信号の振幅の平均的な差を利用する人為的なプッシュプル方法により実行される場合）。そのとき、２つの内側のシンボル行は、制御パラメータ全体に影響を与えない半径方向のオフセットを有することが可能である。しかしながら、個々のオフセットは、個々の信号から測定することができる。
【００３３】
図４は、人為的なプッシュプル方法により外側の２つのスポットＳ０及びＳ４が正確にトラック上にある５つのシンボル行を示す。内側の行Ｒ１、Ｒ２及びＲ３は、セカンダリチャネルを実現するのに利用可能な小さなローカルトラックオフセットΔＲを有することが可能である。
【００３４】
本発明の他の実施例では、ピットサイズの変化が提案される。２次元光ストレージでは、各ピットビットは、６角形のビットセルの約５０％をカバーする（循環的な）ピットホールとしてマスタリングされる。ブロードスパイラルのローカルエリアでは、異なるサイズを有する異なる行によるピットがマスタリング可能であり、これは各行の信号波形のＤＣレベルに影響を与えるであろう。スパイラルのすべてのシンボル行に対して共通のＤＣ制御を仮定すると、シンボル行のピットホールサイズを変更することによって、ＤＣレベルは変化するであろう。そのアイデアは、すべてのシンボル行に対する全体的な制御パラメータが、例えば、２つのシンボル行の場合には、１つの行のピットホールサイズをやや大きくし、他方の行をやや小さくすることによって影響を受けないように、少なくとも２つのシンボル行についてブロードスパイラルの特定領域のピットホールサイズを変化させることである。ピットホールサイズが変更された各行の制御信号は、平均制御パラメータからのオフセットを示し、これにより、サイド情報（セカンダリ情報）の検出を可能にする。
【００３５】
図５において、シンボル行Ｌ＋ｉとＬ−ｉの各ペアの１つの３つの組のシンボルを有する実現形態によるピットホールサイズの変更の原則が示される。図５ａはすべてが等しいピットサイズを有するブロードスパイラルの部分を示し、図５ｂは名目的な場合と比較して、より小さな／より大きな、又はより大きな／より小さなピットサイズを有するか、又は各シンボル＋１、−１及び０を規定する名目的な場合と比較した等しいサイズを有する行ペアＬ＋ｉとＬ−ｉによる等しくないピットサイズを有するブロードスパイラルの部分を示す。行「０」がスパイラルの最後尾のシンボル行である場合、符号化されたシンボルは、［０＋１−１］に等しくなる。
【００３６】
図６は、本発明による符号化装置１０をブロック図として概略的に示す。符号化装置１０は、プライマリチャネルのプライマリ情報１をチャネルデータストリーム３に符号化するプライマリエンコーダ１１を有する。セカンダリ情報２を符号化するため、セカンダリエンコーダ１２が設けられ、これにより、当該セカンダリ情報２は、プライマリチャネルデータストリーム３の記録中に記録パラメータを変化させることによって、プライマリチャネルデータストリームの記録された信号、すなわち、記録キャリア２１に最終的に記録される信号に埋め込まれるセカンダリチャネルデータストリーム６に符号化される。従って、セカンダリチャネルデータストリーム６は、変動パラメータ又は変調深さと呼ばれるさらなるパラメータ５に基づき、記録パラメータ７の少なくとも１つの変化を導入するパラメータ変調ユニット１３に入力される。これらの変化は、各シンボル行の名目（平均）値９から乖離する。このような変化は、上述したように、ローカルな半径方向のトラックシフトの導入、ピットホールサイズの変化又は位相におけるローカルオフセットの導入とすることが可能である。このような変化は、平均値が実質的に一定を維持するようになされ、これにより、プライマリ情報が読み出され、特定の手段なく最終的なチャネルデータストリームから復号化することが可能である。
【００３７】
変動パラメータ５は、好ましくは、予め決定され、与えられる。それは、記録パラメータの平均値が（また、図示されない平均化ユニットの使用などによる符号化中に決定されるか、予め決定されている）、セカンダリ情報２を符号化するのにどれくらい変動されるかに関する情報を含む。
【００３８】
その後、記録ユニット２０は、このようなセカンダリ情報のプライマリチャネルデータストリーム３への埋め込みにおいて、記録パラメータ７を利用してプライマリチャネルデータストリーム３を記録キャリア２１に記録する。例えば、記録キャリア２１は、光ディスクとすることが可能である。
【００３９】
図７は、本発明による復号化装置３０をブロック図として概略的に示す。読み出しユニット２２により記録キャリア２１から再生信号４０を読んだ後、再生信号４０は、受信ユニット３１に提供される。受信ユニットは、再生信号を処理し、プライマリ検出器３３に入力されるビット同期サンプルストリーム４９に処理する。プライマリ検出器３３の出力は、プライマリチャネルのプライマリ情報４１がすでに復号化可能なプライマリデコーダ２３に提供される。
【００４０】
受信機３１はさらに、各行についてパラメータ抽出ユニット３６が対象となる記録パラメータ４７を抽出するパラメータ抽出ユニット３６に情報４６を提供する。復号化装置では、当該チャネルデータストリームの一部のグローバルな記録パラメータが、平均化ユニット３２により取得される。その後、当該平均値４２と共に抽出された記録パラメータ４７は、セカンダリ検出ユニット３５に提供される。そこで、記録パラメータの値の変化が、１以上のシンボル行に対する平均値４２と比較して検出される。その後、この検出された変化４８は、このような変化からセカンダリ情報４５を復号化するセカンダリデコーダ３４に提供される。
【００４１】
与えられたパラメータの各変動は、大変小さなパフォーマンスロスを与えることが留意されるべきである。従って、この変動は（変動パラメータ、すなわち、変調深さによって決定される）、可能な限り小さく維持されるべきであり、比較的長いデータブロックに対する平均化は、このタイプのサイド情報の妥当な正確な検出を導くべきである。これに関して、スプレッドスペクトル変調技術は、大変小さな振幅信号の大変ロウバストな検出を実現するのに興味があるかもしれない。
【００４２】
マルチトラックリードアウト（いくつかのシンボル行から構成されるブロードスパイラルを有する２次元光フォーマットについて）によるシステムにより、完全なブロードスパイラルについてグローバルな値を有する、すなわち、スパイラル内のすべてのシンボル行について平均化されたパラメータが規定することが可能である。ブロードスパイラルのローカルセクションでは、当該パラメータのグローバル値に対する同一のパラメータの行単位の変動（又は乖離）を導入することが可能であり、これにより、コピープロテクションに対して利用可能なサイド情報を有するサイドチャネルを構成する。行単位の変動は、パラメータのグローバル値が行単位の変動が存在するか否かにかかわらず、同一を維持するように選択される。
【００４３】
本発明が上述した実施例を参照して明らかにされたが、他の実施例が同じ課題を実現するのに代わりに利用可能であるということが明らかである。従って、本発明の範囲は、上述した実施例に限定されるものではない。
【００４４】
さらに、請求項を含む本明細書における「有する」という動詞とその派生語の使用は、記載された特徴、整数、ステップ又はコンポーネントの存在を示すものと理解されるが、１以上の他の特徴、整数、ステップ、コンポーネント又はそれらのグループの存在又は追加を排除するものでないということに留意すべきである。また、請求項の要素に前置される「ある（ａ，ａｎ）」という不定冠詞は、そのような要素が複数存在することを排除するものでないということに留意すべきである。さらに、何れの参照符号も請求項の範囲を限定するものではなく、本発明は、ハードウェアとソフトウェアの両方により実現可能であり、複数の「手段」が、同一のハードウェアアイテムにより表されるかもしれない。さらに、本発明は、それぞれ、すべての新規な特徴又は特徴の組み合わせに属する。
【図面の簡単な説明】
【００４５】
【図１】図１は、２次元光ストレージのための概略的なフォーマットを示す。
【図２】図２は、ブロードスパイラルのタンジェント方向の格子歪みを利用する原理を示す。
【図３】図３は、タンジェント方向の格子歪みの原理を示すため、歪みのない格子と歪みのある格子の部分を示す。
【図４】図４は、半径方向のトラックシフトを利用する原理を示すため、複数のシンボル行を示す。
【図５】図５は、ピットサイズの行単位の変動の原理を示すため、等しいピットサイズ又は行単位で不均等なピットサイズを有するブロードスパイラルの部分を示す。
【図６】図６は、本発明による符号化装置のブロック図を示す。
【図７】図７は、本発明による復号化装置のブロック図を示す。
【図１】
2007534103.tif 000010
【図２】
2007534103.tif 000011
【図３】
2007534103.tif 000012
【図４】
2007534103.tif 000013
【図５】
2007534103.tif 000014
【図６】
2007534103.tif 000015
【図７】
2007534103.tif 000016
【国際調査報告】
2007534103.tif 000017
2007534103.tif 000018
2007534103.tif 000019